(57)【要約】【課題】簡単な構成で充分な吸気ができるとともに、雨水の阻止効果に優れた吸気部構造を提供する。【解決手段】ギャラリー２と、ギャラリー２の後方側に設けられたフィルタ部３とを具備する。ギャラリー２は、前面側より奥行側の端部が高くなるように配設された平板状体１２を上下方向に複数並設して構成する。平板状体１２の奥行側の端部に、外部からの雨水を阻止する阻止部１３を形成する。阻止部１３は、平板状体１２の奥行側の端部を平板状体１２に対してほぼ直角に前面側上方に向けて折曲げて形成する。フィルタ部３は複数の平板状体１２の並設方向に沿って着脱できる。【選択図】図１
2006210656.tif 000002
【特許請求の範囲】
【請求項１】
ギャラリー（２）と、このギャラリー（２）の後方側に設けられたフィルタ部（３）とを具備すると共に、上記ギャラリー（２）は、前面側より奥行側の端部が高くなるように配設された平板状体（１２）を上下方向に複数並設して構成し、上記平板状体（１２）の奥行側の端部に、外部からの雨水を阻止する阻止部（１３）を形成したことを特徴とする吸気部構造。
【請求項２】
上記阻止部（１３）は、平板状体（１２）の奥行側の端部をこの平板状体（１２）に対してほぼ直角に前面側上方に向けて折曲げて形成したことを特徴とする請求項１の吸気部構造。
【請求項３】
上記フィルタ部（３）を複数の上記平板状体（１２）の並設方向に沿って着脱できるように構成したことを特徴とする請求項１又は請求項２の吸気部構造。
【発明の詳細な説明】
【技術分野】
【０００１】
この発明は、電力機器等の筐体に設けられ外気を導入する吸気部構造に関するものである。
【背景技術】
【０００２】
フィルタ装置などの電力機器では、機器内部の温度上昇を防いだり換気を良くしたりするため筐体を構成する扉に吸気部構造が設けられる。この吸気部構造には、傾斜させた複数の平板状体を有するギャラリーを使用したものがある（例えば、特許文献１参照）。
【０００３】
上記フィルタ装置等の設置場所が屋内のときは、ギャラリーが単なる平板状体の並設であっても雨水が浸入するおそれがないので防水処置をする必要がない。一方、フィルタ装置等の設置場所が屋外のときは通気ギャラリーから雨水が浸入するおそれがあり、防水のための処置が必要である。このため、例えばギャラリーの前面をフードで覆い、フード下部の開口から吸気をすることが考えられる。
【特許文献１】実開平２−１２７０９２号公報
【発明の開示】
【発明が解決しようとする課題】
【０００４】
しかし、上記のようにフードで覆う構造では、雨水の浸入を阻止するようにすることができるが、ギャラリーとは別にフードが必要であり、部品点数が多くなってコストアップの原因となっていた。また、フード下部の開口面積が扉面積に対して小さいため充分な吸気が難しく換気効率が悪くなって、機器内の換気を充分行うことができなかった。
【０００５】
この発明は、上記従来の欠点を解決するためになされたものであって、その目的は、簡単な構成で充分な吸気ができるとともに、雨水の阻止効果に優れた吸気部構造を提供することにある。
【課題を解決するための手段】
【０００６】
請求項１の吸気部構造は、ギャラリー２と、このギャラリー２の後方側に設けられたフィルタ部３とを具備すると共に、上記ギャラリー２は、前面側より奥行側の端部が高くなるように配設された平板状体１２を上下方向に複数並設して構成し、上記平板状体１２の奥行側の端部に、外部からの雨水を阻止する阻止部１３を形成したことを特徴としている。
【０００７】
請求項２の吸気部構造は、上記阻止部１３は、平板状体１２の奥行側の端部をこの平板状体１２に対してほぼ直角に前面側上方に向けて折曲げて形成したことを特徴としている。
【０００８】
請求項３の吸気部構造は、上記フィルタ部３を複数の上記平板状体１２の並設方向に沿って着脱できるように構成したことを特徴としている。
【発明の効果】
【０００９】
請求項１の吸気部構造によれば、ギャラリーの平板状体は、前面側より奥行側の端部が高くなるように配設されているので、外部から雨水がギャラリーに浸入したとしても、雨水が奥側に浸入するためには、平板状体の傾斜面に沿って上昇していかなければならない。このため、外部からの雨水は奥側に浸入しにくい。しかも、奥行側の端部に雨水が到達しても阻止部によってこれより奥側に浸入することができず、雨水は平板状体の傾斜面に沿って前面側に戻され、外部へ排出される。すなわち、この吸気部構造が使用される電力機器等の内部に雨水が浸入せず、雨水による電力機器等の故障を防止することができる。また、フィルタ部にて、外気に含まれるダスト等を電力機器等の内部に進入させない。このため、電力機器内が清浄状態に維持され、電力機器が高精度に動作する。しかも、従来のようなフードが不要となって、構造の簡素化及びコスト低減を図ることができる。
【００１０】
請求項２の吸気部構造によれば、平板状体の奥行側の端部をこの平板状体に対してほぼ直角に前面側上方に向けて折曲げて阻止部を形成するので、阻止部を簡単に構成することができ、ギャラリーのシンプル化を図ることができる。
【００１１】
請求項３の吸気部構造によれば、フィルタ部を複数の上記平板状体の並設方向に沿って着脱できるように構成したので、フィルタ部の取付作業及び取外作業を簡単に行うことができる。このため、フィルタ部を簡単に交換することができ、フィルタ部のフィルタとしての機能を常時高精度に発揮することができる。
【発明を実施するための最良の形態】
【００１２】
次に、この発明の吸気部構造の具体的な実施の形態について、図面を参照しつつ詳細に説明する。図１はこの発明の吸気部構造の断面図を示し、図２はその要部拡大図を示している。この吸気部構造は、電力機器（フィルタ装置等）の筐体２４に設けられ外気を導入するためのものであって、ケース１と、このケース１の前面側に配置されるギャラリー２と、このケース１の後面側に配置されるフィルタ部３とを備える。
【００１３】
ケース１は、ケース本体４と、このケース本体４の前方開口縁部に設けられる鍔部５とからなる。ケース本体４は、底壁６と、一対の側壁７、７（図４参照）と、後壁９とを備える。この場合、ケース本体４は前方及び上方に開口し、後壁９は上記鍔部５と同様矩形の枠体からなり、大開口の通気孔が設けられている。また、ケース本体４内には仕切壁１１が設けられ、仕切壁１１よりも前方側にギャラリー２が収納され、仕切壁１１よりも後方側にフィルタ部３が収納されている。
【００１４】
ギャラリー２は、複数の平板状体１２・・を上下方向に沿って所定ピッチで配置（並設）してなる。この際、平板状体１２・・は前面側より奥行側の端部が高くなるように配設されている。すなわち、平板状体１２を後方側が高くなるように傾斜させるものであって、例えば、水平面に対して２０度〜７０度程度に傾斜させる。そして、平板状体１２の奥行側の端部には外部からの雨水を阻止する阻止部１３が形成されている。この場合、阻止部１３は平板状体１２の後端を、平板状体１２に対してほぼ直角に前面側上方に向けて折り曲げることによって構成される。また、阻止部１３の高さ寸法Ｈは、図２に示すように、平板状体１２間の隙間寸法Ｓのほぼ半分程度とされる。そして、仕切壁１１には、平板状体１２間の隙間１５・・に対応する位置に通気孔１６・・が設けられている。
【００１５】
このため、平板状体１２間の各隙間１５に外気が進入すれば、図１の矢印Ａのように、阻止部１３とこれに対応する平板状体１２との間の小隙間１７、及び仕切壁１１の通気孔１６を介してフィルタ部３に進入する。
【００１６】
フィルタ部３は、フィルタ本体１８と、このフィルタ本体１８を受ける受け部材１９とを備える。フィルタ本体１８はギャラリー１２に対応するように全体形状が平板状体からなる。また、受け部材１９は、底壁部２０と、この底壁部２０から立設される背面壁部２１と、背面壁部２１から突設される取手部２３とを備える。背面壁部２１は矩形の枠体からなり、フィルタ本体１８を通過してクリーンになった外気が通過する通気孔が設けられている。また、取手部２３は背面壁部２１の上端縁から略水平状に後方側に突出している。
【００１７】
次に、吸気部構造を例えば電力機器等の筐体２４の扉２５に装着する方法を説明する。まず、図４に示すように、ケース１にギャラリー２を収納した状態とする。そして、その状態で、扉２５の開口部２６にケース１のケース本体４を挿入し、ケース１の鍔部５を扉２５の開口部２６の外周縁部に当接させる。この場合、図３に示すように鍔部５に所定ピッチで配置される連結部材２９を介して、ケース１を扉２５に取付ける。すなわち、鍔部５には後方へ突出するボルト部材２７が設けられ、このボルト部材２７が扉２５に設けられた貫通孔に挿通され、この貫通孔を介して筐体２４内に突出したボルト部材２７のねじ部にナット部材２８を螺着する。
【００１８】
その後、フィルタ部３をケース１に収納する。すなわち、受け部材１９の底壁部２０にフィルタ本体１８を載置した状態として、作業者が受け部材１９の取手部２３を持って、上方からケース本体４の上方開口部を介して、ケース本体４に収納する。そして、受け部材１９の背面壁部２１とケース本体４の後壁９とを連結具３０を介して連結することによって、受け部材１９をケース本体４に取付ける。この場合の連結具３０は例えばローレット螺子を使用する。また、扉２５とギャラリー２の鍔部５との接合部（合わせ部）にシリコンコーティング等の防水層（図示省略）を被覆する。
【００１９】
上記吸気部構造によれば、外気は前面側からギャラリー２に進入し、図１の矢印Ａのように、ギャラリー２内を流れてフィルタ部３を通過して筐体２４内に進入することができる。この際、フィルタ部３を通過することによって、外気はクリーン化され、清浄空気（乾燥空気）が筐体２４内に導入される。このため、電力機器内が清浄状態に維持され、電力機器が高精度に動作する。
【００２０】
また、平板状体１２は前面側より奥行側の端部が高くなるように配設されているので、ギャラリー２内に雨水が浸入したとしても、雨水が奥側に浸入するためには、平板状体１２の傾斜面に沿って上昇していかなければならない。このため、外部からの雨水は奥側に浸入しにくい。たとえ、図２の仮想線Ｃのようにギャラリー２内に雨水が浸入して、矢印Ｂのように平板状体１２の上面（傾斜面）に沿って上昇することによって奥行側の端部に雨水が到達しても、雨水は、阻止部１３によってこれより奥側に浸入することができず、平板状体１２の傾斜面に沿って前面側に戻され、矢印Ｄのように外部へ排出される。この場合、図２に示すように、阻止部１３と仕切壁１１との間に微小隙間Ｇがあり、万一、水滴等が阻止部１３を越えて奥側に浸入してもその量は僅かであり、しかもそれらは平板状体１２の背面やフィルタ本体１８の表面または仕切壁１１に沿って外部に排出される。また、最下位の平板状体１２の前端縁とケース本体４の底壁６との間に隙間３１が設けられ、この隙間３１を介して雨水が浸入しても、矢印Ｅのように外部へ排出することができる。このため、この吸気部構造が使用される電力機器等の内部に雨水が浸入せず、雨水による電力機器等の故障を防止することができる。しかも、従来のようなフードが不要となって、構造の簡素化及びコスト低減を図ることができる。
【００２１】
さらに、平板状体１２の奥行側の端部をこの平板状体１２に対してほぼ直角に折曲げて阻止部１３を形成するので、阻止部１３を簡単に構成することができ、ギャラリー２のシンプル化を図ることができる。また、受け部材１９の背面壁部２１とケース本体４の後壁９とを連結している連結具３０を外せば、受け部材１９の取手部２３を持ってフィルタ部３を上昇させることによって、このフィルタ部３をケース１から取出すことができる。すなわち、フィルタ部３を複数の上記平板状体１２・・の並設方向に沿って着脱できるように構成されている。このため、フィルタ部３の取付作業及び取外作業を簡単に行うことができる。すなわち、フィルタ部３を簡単に交換することができ、フィルタ部３のフィルタとしての機能を常時高精度に発揮することができる。さらに、扉２５とギャラリー２の鍔部５との接合部（合わせ部）に防水層を設けているので、この接合部からの雨水の筐体２４内への浸入を防止することができる。
【００２２】
以上にこの発明の具体的な実施の形態について説明したが、この発明は上記形態に限定されるものではなく、この発明の範囲内で種々変更して実施することができる。例えば、ギャラリー２の平板状体１２の数、並設ピッチ、傾斜角度等としては、外気が筐体２４内に進入でき、かつ雨水の筐体２４内への浸入を防止できる範囲で任意に変更することができる。さらに、阻止部１３の平板状体１２に対する角度や阻止部１３の高さ寸法Ｈや平板状体１２とのなす角度として、雨水がギャラリー２に浸入して阻止部１３に達した際に雨水を前方へ戻せるるものであれば、任意に変更することができる。また、阻止部１３として平板状体１２の一部を折曲ることによって形成していたが、平板状体１２と別部材のものを平板状体１２に取付けるようにしてもよい。ところで、フィルタ部３のフィルタ本体１８としては、防塵または塩害防止等に優れたものとするのが好ましいが、種々のフィルタを使用することができる。すなわち、除去しようとするダストの粒度等に応じて、フィルタエレメントの種類やメッシュの大きさ等を種々選択することができる。
【図面の簡単な説明】
【００２３】
【図１】この発明の吸気部構造の実施形態を示す断面図である。
【図２】上記吸気部構造の要部断面図である。
【図３】上記吸気部構造の正面図である。
【図４】上記吸気部構造の組立方法を示す簡略図である。
【符号の説明】
【００２４】
２・・ギャラリー、３・・フィルタ部、１２・・平板状体、１３・・阻止部
【図１】
2006210656.tif 000003
【図２】
2006210656.tif 000004
【図３】
2006210656.tif 000005
【図４】
2006210656.tif 000006